【手続補正書】
【提出日】平成29年1月20日(2017.1.20)
【手続補正１】
【補正対象書類名】特許請求の範囲
【補正対象項目名】全文
【補正方法】変更
【補正の内容】
【特許請求の範囲】
【請求項１】
撮像装置により撮影された画像を表示する表示制御装置であって、
前記撮像装置により撮影された画像を受信する受信手段と、
表示すべき画像が所定数より多く存在する場合、前記所定数の画像と前記所定数の画像以外の画像との何れか一方を、ユーザー操作に応じて切り換え可能に表示し、前記所定数の画像以外の画像を表示する場合、前記所定数の画像以外の画像を、複数の画像が表示可能な表示領域に表示する表示制御手段と、
を有し、
前記表示制御手段は、表示すべき画像が前記所定数より多く存在する場合、所定の条件に一致する画像が前記受信手段により受信されると、前記所定の条件に一致する画像を、前記所定数の画像から選択した画像の代わりに、前記選択した画像以外の前記所定数の画像とともに表示し、前記所定数の画像から選択した画像は、前記ユーザー操作に応じて切り換えられた場合に、前記複数の画像が表示可能な表示領域に、前記所定数の画像以外の画像とともに表示する表示制御装置。
【請求項２】
前記表示制御手段は、表示すべき画像が所定数より多く存在する場合、前記所定数の画像を第１のタブに表示し、前記所定数の画像以外の画像を第２のタブに表示する請求項１記載の表示制御装置。
【請求項３】
前記表示制御手段は、前記所定の条件に一致する画像を、前記所定数の画像から優先度に応じて選択した画像の代わりに、前記選択した画像以外の前記所定数の画像とともに表示する請求項１又は２記載の表示制御装置。
【請求項４】
前記表示制御手段は、前記所定の条件に一致する画像を、前記所定数の画像のうち最も長く表示されている画像の代わりに、前記最も長く表示されている画像以外の前記所定数の画像とともに表示する請求項１又は２記載の表示制御装置。
【請求項５】
前記表示制御手段は、前記所定の条件に一致する画像を、前記所定数の画像のうち監視者が確認済みであることを示す入力がされた画像の代わりに、前記確認済みであることを示す入力がされた画像以外の前記所定数の画像とともに表示する請求項１又は２記載の表示制御装置。
【請求項６】
前記所定の条件は、撮像装置ごとに設定される請求項１乃至５何れか１項記載の表示制御装置。
【請求項７】
前記表示制御手段は、所定の条件に一致する画像を所定期間、表示する請求項１乃至６何れか１項記載の表示制御装置。
【請求項８】
前記受信手段は、前記所定数の画像以外の画像を、前記所定数の画像よりも通信負荷が小さい表示形式で受信する請求項１乃至７何れか１項記載の表示制御装置。
【請求項９】
撮像装置により撮影された画像を表示する表示制御装置であって、
前記撮像装置により撮影された画像を受信する受信手段と、
第１のタブの表示領域に表示可能な上限を超えない画像が所定の条件に一致した場合、前記所定の条件に一致した画像を第１のタブの表示領域に表示する表示制御手段と、
を有し、
前記表示制御手段は、前記第１のタブの表示領域に表示可能な上限を超える画像が前記所定の条件に一致した場合、前記所定の条件に一致した画像から選択した画像を、複数の画像が表示可能な第２のタブの表示領域で表示させる表示制御装置。
【請求項１０】
前記表示制御手段は、前記第１のタブの表示領域に表示可能な上限を超える画像が前記所定の条件に一致した場合、前記第１のタブの表示領域に表示されている複数の画像のうち最も長く表示されている画像を、前記第２のタブの表示領域で表示させる請求項９記載の表示制御装置。
【請求項１１】
撮像装置により撮影された画像を表示する表示制御装置が実行する表示制御方法であって、
表示すべき画像が所定数より多く存在する場合、前記所定数の画像と前記所定数の画像以外の画像との何れか一方を、ユーザー操作に応じて切り換え可能に表示し、前記所定数の画像以外の画像を表示する場合、前記所定数の画像以外の画像を、複数の画像が表示可能な表示領域に表示する第１の表示制御ステップと、
表示すべき画像が前記所定数より多く存在する場合、所定の条件に一致する画像が前記撮像装置から受信されると、前記所定の条件に一致する画像を、前記所定数の画像から選択した画像の代わりに、前記選択した画像以外の前記所定数の画像とともに表示し、前記所定数の画像から選択した画像は、前記ユーザー操作に応じて切り換えられた場合に、前記複数の画像が表示可能な表示領域に、前記所定数の画像以外の画像とともに表示する第２の表示制御ステップと、
を含む表示制御方法。
【請求項１２】
前記第１の表示制御ステップでは、表示すべき画像が所定数より多く存在する場合、前記所定数の画像を第１のタブに表示し、前記所定数の画像以外の画像を第２のタブに表示する請求項１１記載の表示制御方法。
【請求項１３】
撮像装置により撮影された画像を表示する表示制御装置が実行する表示制御方法であって、
第１のタブの表示領域に表示可能な上限を超えない画像が所定の条件に一致した場合、前記所定の条件に一致した画像を第１のタブの表示領域に表示する第１の表示制御ステップと、
前記第１のタブの表示領域に表示可能な上限を超える画像が前記所定の条件に一致した場合、前記所定の条件に一致した画像から選択した画像を、複数の画像が表示可能な第２のタブの表示領域で表示させる第２の表示制御ステップと、
を含む表示制御方法。
【請求項１４】
前記第２の表示制御ステップでは、前記第１のタブの表示領域に表示可能な上限を超える画像が前記所定の条件に一致した場合、前記第１のタブの表示領域に表示されている複数の画像のうち最も長く表示されている画像を、前記第２のタブの表示領域で表示させる請求項１３記載の表示制御方法。
【請求項１５】
コンピュータに、
表示すべき画像が所定数より多く存在する場合、前記所定数の画像と前記所定数の画像以外の画像との何れか一方を、ユーザー操作に応じて切り換え可能に表示し、前記所定数の画像以外の画像を表示する場合、前記所定数の画像以外の画像を、複数の画像が表示可能な表示領域に表示する第１の表示制御手順と、
表示すべき画像が前記所定数より多く存在する場合、所定の条件に一致する画像が撮像装置から受信されると、前記所定の条件に一致する画像を、前記所定数の画像から選択した画像の代わりに、前記選択した画像以外の前記所定数の画像とともに表示し、前記所定数の画像から選択した画像は、前記ユーザー操作に応じて切り換えられた場合に、前記複数の画像が表示可能な表示領域に、前記所定数の画像以外の画像とともに表示する第２の表示制御手順と、
を実行させるためのプログラム。
【請求項１６】
前記第１の表示制御手順では、表示すべき画像が所定数より多く存在する場合、前記所定数の画像を第１のタブに表示し、前記所定数の画像以外の画像を第２のタブに表示する請求項１５記載のプログラム。
【請求項１７】
コンピュータに、
第１のタブの表示領域に表示可能な上限を超えない画像が所定の条件に一致した場合、前記所定の条件に一致した画像を第１のタブの表示領域に表示する第１の表示制御手順と、
前記第１のタブの表示領域に表示可能な上限を超える画像が前記所定の条件に一致した場合、前記所定の条件に一致した画像から選択した画像を、複数の画像が表示可能な第２のタブの表示領域に移動させる第２の表示制御手順と、
を実行させるためのプログラム。
【請求項１８】
前記第２の表示制御手順では、前記第１のタブの表示領域に表示可能な上限を超える画像が前記所定の条件に一致した場合、前記第１のタブの表示領域に表示されている複数の画像のうち最も長く表示されている画像を、前記第２のタブの表示領域で表示させる請求項１７記載のプログラム。
【手続補正２】
【補正対象書類名】明細書
【補正対象項目名】０００４
【補正方法】変更
【補正の内容】
【０００４】
特許文献１に挙げた従来の表示装置に関して、特定カメラの映像を動的に表示する際の課題を、以下に示す。
従来の表示装置では、ユーザーによりルールが設定され、ルールに合致したカメラの画像が表示領域に表示される。例えば、ユーザーにより「レベル３以上のイベントが発生したカメラ」というルールが設定された場合、そのルールに合致したカメラの画像が表示され、一定時間経過後に削除される。
表示可能領域はカメラ６台分しかなく、７台目の画像を表示する必要がある場合、従来の表示装置では、最も古いカメラの映像を削除する。例えば、最初にイベントが発生したカメラ１の画像が表示領域から削除され、カメラ７の画像が表示領域に表示される。
上述の例では、一定時間が経過する前に表示可能台数以上の数のカメラがルールに合致した場合を示している。更に顕著な例としては、一瞬の間に１０台すべてのカメラがルールに合致した場合、監視者が表示画面でイベント発生を視認する前に、表示可能台数を超えた４台の画像は削除され、６台の画像のみが表示されることになる。
以上のように、従来の表示装置では、多数のカメラがルールに合致した場合、監視者がすべての画像を認識することが困難であった。
【手続補正３】
【補正対象書類名】明細書
【補正対象項目名】０００５
【補正方法】変更
【補正の内容】
【０００５】
本発明は、多数の撮像装置がルールに合致した場合であっても、監視者が画像を認識可能にすることを目的とする。
【手続補正４】
【補正対象書類名】明細書
【補正対象項目名】０００６
【補正方法】変更
【補正の内容】
【０００６】
そこで、本発明は、撮像装置により撮影された画像を表示する表示制御装置であって、前記撮像装置により撮影された画像を受信する受信手段と、表示すべき画像が所定数より多く存在する場合、前記所定数の画像と前記所定数の画像以外の画像との何れか一方を、ユーザー操作に応じて切り換え可能に表示し、前記所定数の画像以外の画像を表示する場合、前記所定数の画像以外の画像を、複数の画像が表示可能な表示領域に表示する表示制御手段と、を有し、前記表示制御手段は、表示すべき画像が前記所定数より多く存在する場合、所定の条件に一致する画像が前記受信手段により受信されると、前記所定の条件に一致する画像を、前記所定数の画像から選択した画像の代わりに、前記選択した画像以外の前記所定数の画像とともに表示し、前記所定数の画像から選択した画像は、前記ユーザー操作に応じて切り換えられた場合に、前記複数の画像が表示可能な表示領域に、前記所定数の画像以外の画像とともに表示する。
【手続補正５】
【補正対象書類名】明細書
【補正対象項目名】０００７
【補正方法】変更
【補正の内容】
【０００７】
本発明によれば、多数の撮像装置がルールに合致した場合であっても、監視者が画像を認識可能にすることができる。